【手続補正書】
【提出日】令和1年5月2日(2019.5.2)
【手続補正１】
【補正対象書類名】特許請求の範囲
【補正対象項目名】全文
【補正方法】変更
【補正の内容】
【特許請求の範囲】
【請求項１】
周波数変調連続波（ＦＭＣＷ）レーダーシステムであって、
チャープのフレームの各チャープに対するチャーププロファイルをストアするように構成されるチャーププロファイルストレージ構成要素であって、各チャーププロファイルがパラメータのそれぞれのセットを含む、前記チャーププロファイルストレージ構成要素と、
複数のチャーププロファイルバッファであって、各チャーププロファイルバッファが複数のレジスタを含む、前記複数のチャーププロファイルバッファと、
前記チャーププロファイルストレージ構成要素に結合され、各チャーププロファイルを前記複数のチャーププロファイルストレージ構成要素の各それぞれのレジスタにマッピングするように構成されるパラメータマッピング構成要素と、
各それぞれのチャープを生成するために制御信号を提供するように、前記ＦＭＣＷレーダーからの前記チャープのフレームの伝送の間に、伝送順に前記複数のチャーププロファイルバッファから各チャーププロファイルを受け取るように構成されるタイミング回路と、
を含む、ＦＭＣＷレーダーシステム。
【請求項２】
請求項１に記載のＦＭＣＷレーダーシステムであって、
前記パラメータの各それぞれのセットが、前記タイミング回路の少なくとも１つのタイミング制御アクションに関連付けられるタイミングパラメータを含む、ＦＭＣＷレーダーシステム。
【請求項３】
請求項１に記載のＦＭＣＷレーダーシステムであって、
前記パラメータマッピング構成要素が、チャーププロファイルのチャープタイミングパラメータをマッピングするために前記複数のチャーププロファイルバッファからチャーププロファイルバッファを選択するように構成され、
チャーププロファイルバッファ選択が、ラウンドロビン（ｒｏｕｎｄ  ｒｏｂｉｎ）順とプログラム可能順とから成るグループから選択される順である、ＦＭＣＷレーダーシステム。
【請求項４】
請求項１に記載のＦＭＣＷレーダーシステムであって、
前記タイミング回路が、
前記各チャーププロファイルを受け取るように結合される有限状態機械と、
前記有限状態機械から前記各チャーププロファイルの複数のタイミングパラメータを順次に生成するように構成されるカウンタと、
を含む、ＦＭＣＷレーダーシステム。
【請求項５】
請求項１に記載のＦＭＣＷレーダーシステムであって、
前記タイミング回路が、チャープを生成するために制御信号を提供するように前記複数のチャーププロファイルバッファの第２のチャーププロファイルバッファを用いる一方で、前記パラメータマッピング構成要素が、チャーププロファイルにおける複数のチャープタイミングパラメータを前記複数のチャーププロファイルバッファの第１のチャーププロファイルバッファにおけるレジスタにマッピングするように構成される、ＦＭＣＷレーダーシステム。
【請求項６】
請求項１に記載のＦＭＣＷレーダーシステムであって、
前記タイミング回路から前記制御信号を受け取るように結合されるトランシーバと、
前記各それぞれのチャープに対するＦＭＣＷ信号を前記トランシーバに適用するように構成される周波数シンセサイザと、
を更に含む、ＦＭＣＷレーダーシステム。
【請求項７】
請求項１に記載のＦＭＣＷレーダーシステムであって、
各チャーププロファイルが、それぞれの初期周波数と周波数ランプスロープとを含む、ＦＭＣＷレーダーシステム。
【請求項８】
周波数変調連続波（ＦＭＣＷ）レーダーシステムにおけるチャープのフレームにおいてチャープをプログラミングするための方法であって、
前記チャープのフレームの伝送の間に伝送順に前記ＦＭＣＷレーダーシステムのタイミングエンジンにおける前記チャープのフレームにおける各チャープに対するチャーププロファイルを受け取ることであって、各チャーププロファイルが前記ＦＭＣＷレーダーシステムにおけるチャーププロファイルストレージ構成要素から受信される、前記受け取ることと、
複数のチャーププロファイルバッファから選択されたチャーププロファイルバッファにおけるそれぞれのレジスタに各チャーププロファイルのチャープタイミングパラメータをマッピングすることと、
前記タイミングエンジンにより、対応するチャープを生成するために各チャーププロファイルを用いることと、
を含む、方法。
【請求項９】
請求項８に記載の方法であって、
チャープタイミングパラメータの各セットが、前記タイミングエンジンの少なくとも１つのタイミング制御アクションに関連付けられる、方法。
【請求項１０】
請求項８に記載の方法であって、
有限状態機械により前記それぞれのレジスタからの前記各チャーププロファイルを選択することと、
カウンタに応答して前記有限状態機械から前記各チャーププロファイルの前記タイミングパラメータを順次に生成することと、
を更に含む、方法。
【請求項１１】
請求項８に記載の方法であって、
チャーププロファイルバッファが、ラウンドロビン順とプログラム可能順とから成るグループから選択される順で前記複数のチャーププロファイルバッファから選択される、方法。
【請求項１２】
請求項８に記載の方法であって、
前記タイミングエンジンが、チャープを構成するために前記複数のチャーププロファイルバッファの第２のチャーププロファイルバッファを用いる一方で、受け取られたチャーププロファイルのチャープタイミングパラメータが、前記複数のチャーププロファイルバッファの第１のチャーププロファイルバッファにおけるレジスタにマッピングされる、方法。
【請求項１３】
請求項８に記載の方法であって、
前記対応するチャープを構成するために前記各チャーププロファイルに応答して前記タイミングエンジンからの制御信号をトランシーバに適用することを更に含む、方法。
【請求項１４】
請求項８に記載の方法であって、
前記各チャーププロファイルが、それぞれの初期周波数と周波数ランプスロープとを含む、方法。
【請求項１５】
周波数変調連続波（ＦＭＣＷ）レーダーシステムであって、
チャープのフレームを送信するように構成されるレーダートランシーバであって、前記チャープのフレームにおける各チャープが、それぞれのパラメータを含むそれぞれのチャーププロファイルに基づいて生成される、前記レーダートランシーバと、
複数のチャーププロファイルバッファであって、各チャーププロファイルバッファが複数のレジスタを含む、前記複数のチャーププロファイルバッファと、
各チャーププロファイルを受け取るように結合され、前記各チャーププロファイルにおけるチャープタイミングパラメータのセットを前記複数のチャーププロファイルバッファのそれぞれのチャーププロファイルバッファのレジスタにマッピングするように構成されるパラメータマッピング構成要素と、
各チャープに対する前記それぞれのチャーププロファイルを前記パラメータマッピング構成要素に提供するように構成される処理ユニットと、
を含む、ＦＭＣＷレーダーシステム。
【請求項１６】
請求項１５に記載のＦＭＣＷレーダーシステムであって、
前記処理ユニットに結合され、前記チャープのフレームに対する前記チャーププロファイルをストアするように構成されるチャーププロファイルストレージ構成要素を更に含む、ＦＭＣＷレーダーシステム。
【請求項１７】
請求項１５に記載のＦＭＣＷレーダーシステムであって、
前記それぞれのパラメータが、それぞれのチャープの少なくとも１つのタイミング制御アクションに関連付けられるタイミングパラメータを含む、ＦＭＣＷレーダーシステム。
【請求項１８】
請求項１５に記載のＦＭＣＷレーダーシステムであって、
各チャープに対するＦＭＣＷ信号を前記レーダートランシーバに適用するように構成される周波数シンセサイザを更に含む、ＦＭＣＷレーダーシステム。
【請求項１９】
請求項１５に記載のＦＭＣＷレーダーシステムであって、
前記パラメータマッピング構成要素が、チャーププロファイルのチャープタイミングパラメータをマッピングするために前記複数のチャーププロファイルバッファからチャーププロファイルバッファを選択するように構成され、
チャーププロファイルバッファ選択が、ラウンドロビン順とプログラム可能順とから成るグループから選択される順である、ＦＭＣＷレーダーシステム。
【請求項２０】
請求項１５に記載のＦＭＣＷレーダーシステムであって、
前記各チャーププロファイルがそれぞれの初期周波数と周波数ランプスロープとを含む、ＦＭＣＷレーダーシステム。